(57)【要約】【課題】経済性に優れ、顧客満足度向上に寄与し、広い設置スペースを必要としないＰＯＳシステムを提供する。【解決手段】ＰＯＳシステム１は、買物客の購入商品の登録を行う登録画面と、該登録された購入商品の代金決済を行う会計画面とを表示可能な表示部を有するＰＯＳレジスタ２を通信回線を介し複数接続する。ＰＯＳシステム１は、表示部の表示画面に登録画面を表示して購入商品の登録を行う動作モードである登録モード、又は、会計画面を表示して代金決済を行う動作モードである会計モードの何れかの動作モードに制御する第１の切替手段と、ＰＯＳシステム１を構成するあるＰＯＳレジスタ２の動作モードが第１の切替手段の制御によって切り替った場合に、ＰＯＳシステム１を構成する他の少なくとも１つのＰＯＳレジスタ２の動作モードを第１の切替手段で切り替えた動作モードと異なる動作モードに切り替える第２の切替手段ととを備える。【選択図】図１
2014038556.tif 000002
【特許請求の範囲】
【請求項１】
買物客の購入商品の登録を行う登録画面と、該登録された購入商品の代金決済を行う会計画面とを表示可能な表示部を有するＰＯＳレジスタを通信回線を介し複数接続したＰＯＳシステムにおいて、
前記表示部の表示画面に前記登録画面を表示して購入商品の登録を行う動作モードである登録モード、又は、前記会計画面を表示して代金決済を行う動作モードである会計モードの何れかの動作モードに制御する第１の切替手段と、
前記ＰＯＳシステムを構成するあるＰＯＳレジスタの動作モードが前記第１の切替手段の制御によって切り替った場合に、前記ＰＯＳシステムを構成する他の少なくとも１つのＰＯＳレジスタの動作モードを前記第１の切替手段で切り替えた動作モードと異なる動作モードに切り替える第２の切替手段と
を備えることを特徴とするＰＯＳシステム。
【請求項２】
前記第２の切替手段は、
指定された１以上の前記他のＰＯＳレジスタ、若しくは、指定された数の前記他のＰＯＳレジスタの動作モードを切り替えることを特徴とする請求項１に記載のＰＯＳシステム。
【請求項３】
前記第１の切替手段、または、前記第２の切替手段によって切り替えられる前記会計モードは、前記買物客自らが代金決済を行うセルフ会計モードであることを特徴とする請求項１又は請求項２に記載のＰＯＳシステム。
【請求項４】
前記登録モードに制御された前記ＰＯＳレジスタは、
商品登録の完了後、該登録された商品の関する情報を含む取引情報、又は、当該取引情報を特定する情報を、前記会計モードに制御されたＰＯＳレジスタであって指定されたＰＯＳレジスタに前記通信回線を介して送信する送信手段を
備えることを特徴とする請求項１乃至請求項３の何れか１項に記載のＰＯＳシステム。
【請求項５】
前記登録モードに制御された前記ＰＯＳレジスタは、
前記会計モードに制御されたＰＯＳレジスタとの通信が不能であるときは、商品登録の完了後、該登録された商品の関する情報を含む取引情報、又は、当該取引情報を特定する情報を２次元コード化して印刷媒体に印刷し発行する印刷手段を
備えることを特徴とする請求項１乃至請求項４の何れか１項に記載のＰＯＳシステム。
【発明の詳細な説明】
【技術分野】
【０００１】
本発明は、ＰＯＳシステムに関する。
【背景技術】
【０００２】
スーパーマーケット等の店舗では、集客を目的として、ある特定商品を期間或いは時間を区切って、通常販売している価格より安く商品を提供する特売或いはタイムサービスを実施することがある。そして、その特売或いはタイムサービスを実施する日（以下、特売日とする）は、お客が購入する商品数が通常時より多いため、ＰＯＳ（Ｐｏｉｎｔ  Ｏｆ  Ｓａｌｅ）レジスタにおいて、お客が購入する商品を登録する登録操作は通常よりも多くの時間を要する。加えて、特売日は来店客が多いため、お客は、ＰＯＳレジスタに待ち行列を作って精算処理を待つ場合がある。また、特売日に限らず、レジ担当者の熟練度合いによってＰＯＳレジスタに待ち行列ができる場合がある。
また、登録専用のＰＯＳレジスタと会計専用のＰＯＳレジスタとをネットワークで接続し利用するＰＯＳシステムが知られている（例えば、特許文献１参照）。
【先行技術文献】
【特許文献】
【０００３】
【特許文献１】特開平５−２４２３６２号公報
【発明の概要】
【発明が解決しようとする課題】
【０００４】
しかしながら、登録専用のＰＯＳレジスタと会計専用のＰＯＳレジスタとをネットワークで接続し利用するＰＯＳシステムの場合、登録専用のＰＯＳレジスタ、会計専用のＰＯＳレジスタの夫々について、必要な設置台数を別々に算出する必要がある。
例えば、来店客が多い特売日を基準に（考慮して）、又は、予備用として、多めに設置台数を算出する場合、登録専用のＰＯＳレジスタの設置台数も会計専用のＰＯＳレジスタの設置台数も多くなる。従って、特売日に比べ来店者が少ない通常時には、登録専用のＰＯＳレジスタの使用頻度（稼動）も落ち、会計専用のＰＯＳレジスタの使用頻度も落ち、導入費用と使用頻度とのバランスから見て経済的とは言えない。
一方、経済性を考慮して、少なめに設置台数を算出する場合、登録専用のＰＯＳレジスタの設置台数も会計専用のＰＯＳレジスタの設置台数も少なくなる。従って、来店者が多い特売日には、商品登録を待つお客の列（以下、商品登録待ち行列とも称する）の長さも、会計を待つお客の列（以下、会計待ち行列とも称する）の長さも長くなり、お客の不満は大きくなる。
また、商品登録待ち行列と会計待ち行列の長さの比率は、様々な要因（例えば、お客一人の買上商品数、領収書の発行、ＰＯＳレジスタを操作する店員の操作速度、何らかのトラブル）によって変化するので、顧客満足度を優先して、登録専用のＰＯＳレジスタ及び会計専用のＰＯＳレジスタの設置台数を多くしたのに、商品登録待ち行列か会計待ち行列の何れかが長くなり、顧客満足度が向上しない場合がある。
また、設置台数が多くする場合には、上述した経済的な問題に加え、設置スペースの問題も生じる。
【０００５】
本発明は、このような事情を考慮してなされたものであり、その目的は、経済性に優れ、顧客満足度向上に寄与し、広い設置スペースを必要としないＰＯＳシステムを提供することにある。
【課題を解決するための手段】
【０００６】
上述した課題を解決するために、本発明の一態様に係るＰＯＳシステムは、買物客の購入商品の登録を行う登録画面と、該登録された購入商品の代金決済を行う会計画面とを表示可能な表示部を有するＰＯＳレジスタを通信回線を介し複数接続したＰＯＳシステムにおいて、前記表示部の表示画面に前記登録画面を表示して購入商品の登録を行う動作モードである登録モード、又は、前記会計画面を表示して代金決済を行う動作モードである会計モードの何れかの動作モードに制御する第１の切替手段と、前記ＰＯＳシステムを構成するあるＰＯＳレジスタの動作モードが前記第１の切替手段の制御によって切り替った場合に、前記ＰＯＳシステムを構成する他の少なくとも１つのＰＯＳレジスタの動作モードを前記第１の切替手段で切り替えた動作モードと異なる動作モードに切り替える第２の切替手段とを備えることを特徴とする。
【０００７】
上記ＰＯＳシステムによれば、通信回線を介して接続された複数のＰＯＳレジスタの夫々は、登録画面と会計画面とを表示可能な表示部を有し、各ＰＯＳレジスタは、第１の切替手段によって、登録画面を表示して購入商品の登録を行う動作モードである登録モード（即ち、登録装置として動作させる動作モード）、又は、会計画面を表示して代金決済（会計）を行う動作モードである会計モード（即ち、会計装置として動作させる動作モード）の何れかの動作モードに制御されるので、経済性に優れ、顧客満足度は向上し、広い設置スペースも不要である。即ち、上記ＰＯＳシステムによれば、必要なＰＯＳレジスタの総台数は、動作モードの切替を前提として算出すればよいので、従来の如く別々に必要台数を算出した場合の登録専用のＰＯＳレジスタの台数と会計専用のＰＯＳレジスタの台数の合計台数よりも少なくなるため、従来に比べ、経済性に優れ、かつ、広い設置スペースも要らなくなる。また、商品登録待ち行列（商品登録を待つお客の列）の長さ、及び、会計待ち行列（会計を待つお客の列）の長さの変化に応じて、適宜、動作モードの切替ができるので、必要に応じて何れの列も短くすることができ（列崩しが可能になり）、顧客満足度は向上する。
【０００８】
また、各ＰＯＳレジスタの列の長さの不均衡を調整（是正）するために、あるＰＯＳレジスタの動作モードを会計モードから登録モードへの切り替え、かつ、他のＰＯＳレジスタの動作モードを登録モードから会計モードへの切り替える場合があるが、上記ＰＯＳシステムによれば、第２の切替手段は、例えば、あるＰＯＳレジスタの動作モードが第１の切替手段によって会計モードから登録モードに切り替った場合、他の少なくとも１つのＰＯＳレジスタの動作モードを登録モードから会計モードに制御するので、あるＰＯＳレジスタの動作モードを会計モードから登録モードへ切り替える際に生じる、他のＰＯＳレジスタの動作モードを登録モードから会計モードへ切り替える操作が不要となり便利である。あるＰＯＳレジスタの動作モードを登録モードから会計モードへの切り替え、かつ、他のＰＯＳレジスタの動作モードを会計モードから登録モードへの切り替える場合についても同様に操作が不要となり便利である。
また、店員による操作ではなく自動的に、商品登録を行うＰＯＳレジスタと代金決済を行うＰＯＳレジスタとに分散されるので（即ち、商品登録を行うＰＯＳレジスタと代金決済を行うＰＯＳレジスタの割合（配分）が自動的に制御されるので）、商品登録を行うＰＯＳレジスタの数が必要以上に多くなり代金決済を行うＰＯＳレジスタの数が不足したり、代金決済を行うＰＯＳレジスタの数が必要以上に多くなり商品登録を行うＰＯＳレジスタの数が不足したりすることがなくなり、商品登録待ち行列に並び始めてから代金決済が終わる迄のお客１人あたりの平均の待ち時間（以下、「トータルの待ち時間」とも称する）を最適化（最小化）することができる。つまり、経済性や設置スペースを考慮しＰＯＳレジスタの数を一定量に抑えつつ、動作モードの切り替え操作などの手間を掛けずに、顧客満足度を向上させることができる。
【０００９】
上記ＰＯＳシステムにおいて、指定された１以上の前記他のＰＯＳレジスタ、若しくは、指定された数の前記他のＰＯＳレジスタの動作モードを切り替えるようにしてもよい。
【００１０】
上記ＰＯＳシステムによれば、第２の切替手段は、指定された１以上の他のＰＯＳレジスタ、若しくは、指定された数の他のＰＯＳレジスタの動作モードを切り替えるので、ＰＯＳシステムにおいて、各動作モードに設定されるＰＯＳレジスタの割合（配分）を例えば混雑状況等に応じて制御することができる。従って、例えば、商品登録待ち行列の長さと会計待ち行列の長さの関係（比率）が、混雑度に応じて異なる傾向にあるお店において、各動作モードに設定されるＰＯＳレジスタの割合を混雑度に応じて適切に制御することができる。トータルの待ち時間が一層短縮するので、顧客満足度を更に向上させることができる。
【００１１】
上記ＰＯＳシステムにおいて、前記第１の切替手段、または、前記第２の切替手段によって切り替えられる前記会計モードは、前記買物客自らが代金決済を行うセルフ会計モードであってもよい。
【００１２】
上記ＰＯＳシステムによれば、第１の切替手段、または、第２の切替手段によって切り替えられる会計モードは、買物客自らが代金決済を行うセルフ会計モードであるので、即ち、第１の切替手段、または、第２の切替手段は、会計モードに切替制御するときは、買物客自らが代金決済を行うセルフ会計モード（即ち、セルフ会計装置として動作させる動作モード）に切替制御するので、より一層列崩しが可能になる。即ち、一般に、登録装置における商品登録の処理時間（所要時間）は、会計装置における代金決済の処理時間に比べ長く、商品登録待ちの列は、代金決済待ちの列よりも長くなる傾向があるので、登録モードに切替える登録装置の台数を多くし、買い物客自らが代金決済を行うセルフ会計モードに切替制御する会計装置の台数を少なくすれば、買物客は、登録装置が多いので商品登録において待たされる時間が軽減され、会計においては、混雑していないセルフ会計モードに切替えられた会計装置に自由に移動し、買い物客自らが会計装置を操作し代金決済を行うことができるので、従来に比べ商品登録から会計完了までのトータル時間を短縮することができ待たされる時間が軽減されるので顧客満足度を向上させることができるという効果を奏する。また、店側は、会計装置をセルフ会計モードに切替えることで、会計装置に店員を配置させる必要がないので、会計処理に係わる人員を少なくすることができ、余った人員を買物客のサポートや品出し等のレジ以外の業務に専念させることができるので、人的効率をアップさせることができるという効果を奏する。
【００１３】
上記ＰＯＳシステムにおいて、前記登録モードに制御された前記ＰＯＳレジスタは、商品登録の完了後、該登録された商品の関する情報を含む取引情報、又は、当該取引情報を特定する情報を、前記会計モードに制御されたＰＯＳレジスタであって指定されたＰＯＳレジスタに前記通信回線を介して送信する送信手段を備えるようにしてもよい。
【００１４】
上記ＰＯＳシステムによれば、登録モードに制御されたＰＯＳレジスタは、商品登録の完了後、該登録された商品の関する情報を含む取引情報、又は、当該取引情報を特定する情報を、会計モードに制御されたＰＯＳレジスタであって指定されたＰＯＳレジスタに通信回線を介して送信する送信手段を備えるので、商品登録の完了時には商品登録を行ったＰＯＳレジスタにて、代金決済を行うＰＯＳレジスタを指定し、指定したＰＯＳレジスタに、代金決済を行うときに必要となる情報を送信することができる。従って、店員は、商品登録の完了後に、代金決済を行う各ＰＯＳレジスタの混雑度（会計待ち行列の長さ）を確認（考慮）し、お客を振り分けることができる。その結果、トータルの待ち時間が一層短縮するので、顧客満足度を更に向上させることができる。
【００１５】
上記ＰＯＳシステムにおいて、前記登録モードに制御された前記ＰＯＳレジスタは、前記会計モードに制御されたＰＯＳレジスタとの通信が不能であるときは、商品登録の完了後、該登録された商品の関する情報を含む取引情報、又は、当該取引情報を特定する情報を２次元コード化して印刷媒体に印刷し発行する印刷手段を備えるようにしてもよい。
【００１６】
上記ＰＯＳシステムによれば、登録モードに制御されたＰＯＳレジスタは、会計モードに制御されたＰＯＳレジスタとの通信が不能であるときは、商品登録の完了後、該登録された商品の関する情報を含む取引情報、又は、当該取引情報を特定する情報を２次元コード化して印刷媒体に印刷し発行する印刷手段を備えるので、例えば、通信回線の異常があった場合には、印刷媒体を用いて、代金決済を行うときに必要となる情報を会計モードに制御されたＰＯＳレジスタに供給（入力）することができる。従って、通信回線のトラブルが生じたとしても、商品登録を行うＰＯＳレジスタも、代金決済を行うＰＯＳレジスタも夫々の役目を問題無く果たすことができる。つまり、オンラインの状態と同様、オフラインの状態であってもオンラインの状態と同様に、トータルの待ち時間が短縮し、顧客満足度を向上させることができる。
【発明の効果】
【００１７】
本発明によれば、経済的に優れ、かつ、顧客満足度も向上するＰＯＳシステムを提供することができる。例えば、ＰＯＳシステムを構成するＰＯＳレジスタの数量を抑えつつ、トータルの待ち時間を短縮することができるＰＯＳシステムを提供することができる。
【図面の簡単な説明】
【００１８】
【図１】本発明の一実施形態によるＰＯＳシステム１の構成図の一例である。
【図２】本実施形態におけるＰＯＳレジスタ２の外観正面図及び側面図の一例である。
【図３】本実施形態におけるＰＯＳレジスタ２の電気回路の構成を示すブロック図の一例である。
【図４】本発明の一実施形態によるＰＯＳシステム１の動作を説明するためのフローチャートである。
【発明を実施するための形態】
【００１９】
以下、本発明の一実施形態を、図面を参照して説明する。図１は、本発明の一実施形態によるＰＯＳシステム１の構成図の一例である。ＰＯＳシステム１は、図１に示すように、Ｎ台（Ｎは１以上の整数）のＰＯＳレジスタ２−１、ＰＯＳレジスタ２−２、…、ＰＯＳレジスタ２−Ｎと、ストアコントローラ３とを含んで構成されており、各装置は、ＬＡＮ（Ｌｏｃａｌ  Ａｒｅａ  Ｎｅｔｗｏｒｋ）を介して接続されている。以下、ＰＯＳレジスタ２−１、ＰＯＳレジスタ２−２、…、ＰＯＳレジスタ２−Ｎの夫々を特に区別しない場合には総称してＰＯＳレジスタ２と称する。
【００２０】
ストアコントローラ３は、ＰＯＳシステム１を制御するコンピュータ（例えば、サーバ）である。ストアコントローラ３は、例えば、商品マスタを記憶する。商品マスタは、各商品の商品識別情報（例えばＪＡＮコード）、商品名称、販売価格などの商品情報を格納（保持）するファイルである。また、ストアコントローラ３は、登録モード（後述）に制御されているＰＯＳレジスタ２（以下、登録モードのＰＯＳレジスタ２とも称する）から取引情報を受信して記憶する。また、ストアコントローラ３は、会計モード（後述）に制御されているＰＯＳレジスタ２（以下、会計モードのＰＯＳレジスタ２とも称する）から要求があったときは、記憶している取引情報を当該ＰＯＳレジスタ２に送信する。
【００２１】
ＰＯＳレジスタ２は、切り替え可能な動作モードとして登録モードと会計モードとを有する。登録モードとは、買物客の購入商品の登録を行う画面（登録画面）を表示部（具体的には店員用表示部１４（後述））に表示して購入商品の登録を行う動作モードである。会計モードとは、該登録された購入商品の代金決済（会計）を行う会計画面を表示部（具体的には店員用表示部１４（後述））に表示して代金決済を行う動作モードである。具体的には、ＰＯＳレジスタ２は、会計モードとして、買物客自らが代金決済を行う動作モードであるセルフ会計モードを有している。なお、以下、特に断りがない場合には、以下、会計モードとはセルフ会計モードを表している。
【００２２】
以上のように、ＰＯＳシステム１には、登録画面と会計画面とを表示可能な表示部を有する複数のＰＯＳレジスタ２と、ストアコントローラ３とが、通信回線（ＬＡＮ）を介して接続されている。
【００２３】
図２は、本実施形態におけるＰＯＳレジスタ２の外観正面図及び側面図の一例である。図３は、本実施形態におけるＰＯＳレジスタ２の電気回路の構成を示すブロック図の一例である。図３において、符号１１はＰＯＳレジスタ２の動作全体を制御するＣＰＵ（中央演算装置）であり、図示するように他の構成要素それぞれと接続されている。ＣＰＵ１１の動作の詳細は後述する。
【００２４】
図３において、符号１２は種々の情報を記憶するＲＯＭ（Ｒｅａｄ  Ｏｎｌｙ  Ｍｅｍｏｒｙ）である。ＲＯＭ１２は、例えば、ＣＰＵ１１が実行するプログラムを記憶する。また、ＲＯＭ１２は、画面情報（例えば、後述する店員用表示部１４の表示画面に表示する登録画面及び会計画面の画面情報）を記憶する。
【００２５】
図３において、符号１３は種々の情報を記憶するＲＡＭ（Ｒａｎｄｏｍ  Ａｃｃｅｓｓ  Ｍｅｍｏｒｙ）である。ＲＡＭ１３は、例えば、ＣＰＵ１１によってＲＯＭ１２から読み出された情報（例えば、上記プログラム、上記画面情報）を記憶する。また、ＲＡＭ１３は、ＣＰＵ１１によって処理された情報（例えば、現在の動作モードを示す情報）を記憶する。
【００２６】
図２及び図３において、符号１４は、店員に登録画面又は会計画面などを表示する表示部として機能するほか、店員による動作モードの設定切替操作、登録又は会計における入力操作などが可能な操作部として機能する店員用表示部（タッチパネル）である。符号１５は商品登録の完了入力や精算時においてお客から受け取った預かり金額などの数字データ入力等を行うための入力手段が設けられ、入力されたデータをＣＰＵ１１へ供給する操作部である。符号１６はＣＰＵ１１からの表示指示に従って所定の情報を表示することにより、お客に対して商品名や値段を通知する客用表示部である。
【００２７】
図２及び図３において、符号１７は、金銭が収納されるキャッシュドロア３０（図３において非図示）を制御する自動釣銭機である。自動釣銭機１７は、例えば、釣銭のうち少なくとも硬貨分をキャッシュドロア３０から釣り銭放出口１７ａ（図３において非図示）に自動的に放出し、預り金投入口１７ｂ（図３において非図示）に投入されたお客から受け取った預かり金（硬貨）をキャッシュドロア３０に格納する。
【００２８】
図３において、符号１８は商品に貼付されたバーコードを読み取り、そのデータをＣＰＵ１１へ供給するスキャナ部である。図２にはスキャナ部１８を示していないが、スキャナ部１８は、ＰＯＳレジスタ２の装置本体に有線で接続され、読み取ったデータを有線で装置本体に送信する構成としてもよいし、無線によって装置本体に接続され、読み取ったデータを装置本体に無線によって送信するような構成としてもよい。
【００２９】
図２及び図３において、符号１９はＣＰＵ１１からの印字指示に従って印字を行う印字部である。例えば、会計モードのＰＯＳレジスタ２において、印字部１９は、精算処理（会計処理、代金決済処理とも称する）の完了後、買上商品の明細情報を印刷媒体に印刷し、レシートとして発行する。
【００３０】
また、例えば、登録モードのＰＯＳレジスタ２において、印字部１９は、商品登録の完了後、精算処理を行うときに必要となる情報（例えば、該登録された商品の関する情報を含む取引情報、又は、当該取引情報を特定する情報、即ち、取引を識別する取引識別情報）を２次元コード（例えば、ＱＲ（Ｑｕｉｃｋ  Ｒｅｓｐｏｎｓｅ）コード（登録商標））化して印刷媒体に印刷し、お会計券（精算券）として発行する。なお、登録モードのＰＯＳレジスタ２において、会計モードの他のＰＯＳレジスタ２との通信が不能であるときに、印刷部１９は、お会計券を発行し、通信が不能でないときは、お会計券の発行に代えて、取引情報（若しくは取引識別情報）を会計モードのＰＯＳレジスタ２（会計モードに制御されているＰＯＳレジスタ２）であって指定されたＰＯＳレジスタ２（例えば、空いている、又は、混んでいないＰＯＳレジスタ）に送信するようにしてもよい。
【００３１】
なお、お会計券に印刷された２次元コードの内容は、会計モードのＰＯＳレジスタ２のスキャナ部１８（又は、撮像部２１、若しくは、２次元コードを読み込む非図示の他のスキャナ部等）を利用して認識される。認識された内容が取引情報であった場合（取引情報が２次元コード化されていた場合）には、当該ＰＯＳレジスタ２のＣＰＵ１１は、認識された取引情報を用いて決済処理を実行する。また、認識された内容が取引識別情報であった場合（取引識別情報が２次元コード化されていた場合）には、当該ＰＯＳレジスタ２のＣＰＵ１１は、認識された取引識別情報によって識別（特定）される取引情報をストアコントローラ３から受信し、受信した取引情報を用いて決済処理を実行する。
【００３２】
図３において、符号２０はＬＡＮを介して外部（例えば、ストアコントローラ３）と通信する通信部である。例えば、登録モードのＰＯＳレジスタ２において、通信部２０は、適宜、ストアコントローラ３から商品マスタを受信する。また、登録モードのＰＯＳレジスタ２において、商品登録の完了後、ストアコントローラ３に取引情報を送信する。また、登録モードのＰＯＳレジスタ２において、商品登録の完了後、精算処理を行うときに必要となる情報（例えば、取引情報又は取引識別情報）を、会計モードのＰＯＳレジスタ２であって指定されたＰＯＳレジスタ２に送信するようにしてもよい。
【００３３】
また、会計モードの他のＰＯＳレジスタ２において、通信部２０は、適宜、ストアコントローラ３から商品マスタを受信する。また、会計モードの他のＰＯＳレジスタ２において、通信部２０は、登録モードのＰＯＳレジスタ２から取引情報を受信してもよい。なお、会計モードの他のＰＯＳレジスタ２において、通信部２０は、登録モードのＰＯＳレジスタ２に代えて、ストアコントローラ３から取引情報を受信するようにしてもよい。
【００３４】
図３において、符号２１はＣＰＵ１１からの撮像指示に従って撮像する撮像部（カメラ）である。図２には撮像部２１を示していないが、撮像部２１は、ＰＯＳレジスタ２の装置本体に有線で接続され、撮像画像を有線で装置本体に送信する構成としてもよいし、無線によって装置本体に接続され、撮像画像を装置本体に無線によって送信するような構成としてもよい。
【００３５】
以上のように、ＰＯＳレジスタ２は、登録モードに制御されているときは、店員用表示部１４に登録画面を表示する。登録モードのＰＯＳレジスタ２（登録モードに制御されているＰＯＳレジスタ２）は、店員がスキャナ部１８を用いてお客の買上商品を読み取ることによって、又は、店員が登録画面に設けられたボタン（プリセットボタン）をタッチすることによって、お客の買上商品の商品情報（商品コード等）の入力を受け付ける。そして、登録モードのＰＯＳレジスタ２は、全買上商品の入力が終わった後に、全商品の商品情報及び取引識別情報を含む取引情報をストアコントローラ３に送信する。また、登録モードのＰＯＳレジスタ２は、取引情報（若しくは取引識別情報）を２次元コード化して印刷したお会計券を発行する。なお、登録モードのＰＯＳレジスタ２は、お会計券の発行に代えて、取引情報（若しくは取引識別情報）を会計モードのＰＯＳレジスタ２であって指定されたＰＯＳレジスタ２に送信するようにしてもよい。
【００３６】
また、ＰＯＳレジスタ２は、会計モードに制御されているときは、店員用表示部１４に会計画面を表示する。会計モードのＰＯＳレジスタ２（会計モードに制御されているＰＯＳレジスタ２）は、登録モードのＰＯＳレジスタ２において発行されたお会計券に２次元コード化された取引情報（若しくは取引識別情報）、又は、登録モードのＰＯＳレジスタ２から送信された取引情報（若しくは取引識別情報）に基づいて、買物客自らが代金決済を実行し、レシートを発行する。
【００３７】
以下、ＰＯＳレジスタ２のＣＰＵ１１の動作について説明する。
ＣＰＵ１１は、当該ＰＯＳレジスタ２の動作モードを制御する。例えば、当該ＰＯＳレジスタ２の動作モードが登録モードである場合に、操作部１５が動作モードを会計モードに設定する旨の店員の操作を受け付けたとき、又は、通信部２０が動作モードを会計モードに設定する旨の設定命令を受信したときは、ＣＰＵ１１は、動作モードを登録モードから会計モードに切り替える。また、当該ＰＯＳレジスタ２の動作モードが会計モードである場合に、操作部１５が動作モードを登録モードに設定する旨の店員の操作を受け付けたとき、又は、通信部２０が動作モードを登録モードに設定する旨の設定命令を受信したときは、ＣＰＵ１１は、動作モードを会計モードから登録モードに切り替える。
具体的には、例えば、ＣＰＵ１１は、店員用表示部１４に表示する画面を切り替えるとともに、設定後（切替後）の動作モードを示す情報をＲＡＭ１３に記憶させる。
【００３８】
また、ＣＰＵ１１は、他のＰＯＳレジスタ２の動作モードを制御する。例えば、ＣＰＵ１１は、当該ＰＯＳレジスタ２が店員の操作によって会計モードから登録モードに制御されたときは、動作モードを会計モードに設定する旨の設定命令を他の少なくとも１つのＰＯＳレジスタ２に通信部２０を介して送信する。即ち、ＣＰＵ１１は、他の少なくとも１つのＰＯＳレジスタ２を登録モードから会計モードに制御する。また、ＣＰＵ１１は、当該ＰＯＳレジスタ２が店員の操作によって登録モードから会計モードに制御されたときは、動作モードを登録モードに設定する旨の設定命令を他の少なくとも１つのＰＯＳレジスタ２に通信部２０を介して送信してもよい。即ち、ＣＰＵ１１は、他の少なくとも１つのＰＯＳレジスタ２を会計モードから登録モードに制御してもよい。
【００３９】
他の少なくとも１つのＰＯＳレジスタ２は、ユーザによって指定された１以上の他のＰＯＳレジスタ２であってもよいし、ユーザによって指定された数（１以上）の他のＰＯＳレジスタ２であってもよい。即ち、あるＰＯＳレジスタ２のＣＰＵ１１は、指定された１以上の他のＰＯＳレジスタ２について、若しくは、指定された数の他のＰＯＳレジスタ２について、登録モードから会計モードに制御し、又は、会計モードから登録モード会計モードに制御してもよい。
【００４０】
なお、ユーザは、当該ＰＯＳレジスタ２の動作モードの変更操作の都度、他のＰＯＳレジスタ２（又は、他のＰＯＳレジスタ２の数）を指定してもよいし、事前に、他のＰＯＳレジスタ２（又は、他のＰＯＳレジスタ２の数）を指定してもよい。即ち、あるＰＯＳレジスタ２のＣＰＵ１１は、当該ＰＯＳレジスタ２の動作モードの変更操作の都度の指定された他のＰＯＳレジスタ２（又は、都度指定された数に応じて他のＰＯＳレジスタ２を適宜決定し、決定した他のＰＯＳレジスタ２）について、若しくは、当該ＰＯＳレジスタ２の動作モードの変更操作とは関係なく事前に指定された他のＰＯＳレジスタ２（又は、事前に指定された数に応じて他のＰＯＳレジスタ２を適宜決定し、決定した他のＰＯＳレジスタ２）について、登録モードから会計モードに制御し、又は、会計モードから登録モード会計モードに制御してもよい。
【００４１】
なお、ユーザによって指定された１以上の他のＰＯＳレジスタ２の動作モードを制御する態様において、ユーザによって指定された何れかの他のＰＯＳレジスタ２が既に設定命令に示される動作モードになっている場合には、既に設定命令に示される動作モードになっている他のＰＯＳレジスタ２については、動作モードは変更されずに維持されることになるが、当該場合に、ユーザによって指定された他のＰＯＳレジスタ２の動作モードが所望の動作モードになっているという理由から何もしなくてもよいし、あるいは、動作モードの変更がなされるべき他のＰＯＳレジスタ２について動作モードの変更がなされなかったという理由から別のＰＯＳレジスタ２の動作モードを変更するようにしてもよい。なお、別のＰＯＳレジスタ２の動作モードを変更する場合には、ユーザによって再指定された他のＰＯＳレジスタ２を対象としてもよい。
【００４２】
なお、ユーザが、当該ＰＯＳレジスタ２の動作モードの変更操作の都度、１以上の他のＰＯＳレジスタ２を指定する態様の場合、当該ＰＯＳレジスタ２のＣＰＵ１１は、ユーザによる他のＰＯＳレジスタ２の指定に際し、他のＰＯＳレジスタ２の現在の動作モードを店員用表示部１４に表示してもよい。例えば、あるＰＯＳレジスタ２のＣＰＵ１１は、他の夫々のＰＯＳレジスタ２に（又は、ストアコントローラ３が各ＰＯＳレジスタ２の動作モードを記憶している場合にはストアコントローラ３）に、現在の動作モードを問い合せて、問い合せ結果を店員用表示部１４に表示してもよい。ユーザは、他のＰＯＳレジスタ２の現在の動作モードを店員用表示部１４にて確認することができるので、上述のようなユーザによる再指定の問題は生じなくなる。
【００４３】
一方、ユーザによって指定された数の他のＰＯＳレジスタ２の動作モードを制御する態様においては、ＣＰＵ１１は、設定命令に示される動作モードに切替可能なＰＯＳレジスタ２（設定命令に示される動作モードでない他のＰＯＳレジスタ２）の中からユーザによって指定された数の他のＰＯＳレジスタ２を決定する。従って、原則、上述のようなユーザによる再指定の問題は生じない。但し、ユーザによる指定数が、設定命令に示される動作モードに切替可能なＰＯＳレジスタ２の数を超える場合には、超える数のＰＯＳレジスタ２について動作モードは維持される。
【００４４】
なお、ユーザが、当該ＰＯＳレジスタ２の動作モードの変更操作の都度、他のＰＯＳレジスタ２の数を指定する態様の場合、ＰＯＳレジスタ２を指定する態様の場合と同様、当該ＰＯＳレジスタ２のＣＰＵ１１は、ユーザによる他のＰＯＳレジスタ２の数の指定に際し、他のＰＯＳレジスタ２の現在の動作モードを店員用表示部１４に表示してもよい。ユーザは、他のＰＯＳレジスタ２の現在の動作モードを店員用表示部１４にて確認することができるので、妥当な数を指定することができる。
【００４５】
なお、事前に、他のＰＯＳレジスタ２を指定しておく態様の場合、例えば、あるＰＯＳレジスタ２の動作モードを切り替えた場合に何れのＰＯＳレジスタ２の動作モードを切り替えるかというＰＯＳレジスタ２同士の対応関係を事前に決めておいてもよい。
【００４６】
事前に、他のＰＯＳレジスタ２の数を指定する態様の場合、例えば、ＰＯＳシステム１内における登録モードのＰＯＳレジスタ２と会計モードのＰＯＳレジスタ２の各数量を事前に決めておいてもよい。また、登録モードのＰＯＳレジスタ２と会計モードのＰＯＳレジスタ２の各数量に幅を持たせて決めておき（例えば、ＰＯＳシステム１内に８台のＰＯＳレジスタ２がある場合に、登録モードのＰＯＳレジスタ２の数、会計モードのＰＯＳレジスタ２の数量を共に４〜６台として決めておき）、ユーザは、事前設定の範囲内（即ち、上記幅内）において、他のＰＯＳレジスタ２の数を都度指定できるようにしてもよい。
【００４７】
なお、各ＰＯＳレジスタ２において上記事前指定を行ってもよいし、ストアコントローラ３においてＰＯＳレジスタ２毎に上記事前指定を行ってもよい。事前に指定された指定情報は、各ＰＯＳレジスタ２のＲＡＭ１３に記憶しておいてもよいし、ストアコントローラ３に纏めて記憶しておいてもよい。
【００４８】
また、ＣＰＵ１１は、制御対象（動作モードの切替対象）の他のＰＯＳレジスタ２において、ある買物客の商品登録が行われているときは、当該買物客の商品登録の完了後に当該他のＰＯＳレジスタ２を会計モードに制御してもよい。具体的には、例えば、あるＰＯＳレジスタ２のＣＰＵ１１は、登録モードの他のＰＯＳレジスタ２に、動作モードを会計モードに設定する旨の設定命令を送信し、当該設定命令を受信した登録モードの他のＰＯＳレジスタ２は、ある買物客の商品登録を行っている場合には、当該買物客の商品登録の完了後に、動作モードを登録モードから会計モードに変更してもよい。
【００４９】
また、上記方法は、設定命令の受信側である他のＰＯＳレジスタ２において動作モードを登録モードから会計モードにモード変更するタイミングを制御する方法であるが、設定命令の送信側である当該ＰＯＳレジスタ２において動作モードを登録モードから会計モードにモード変更するタイミングを制御してもよい。具体的には、例えば、あるＰＯＳレジスタ２のＣＰＵ１１は、登録モードの他のＰＯＳレジスタ２に、動作モードを会計モードに設定する旨の設定命令を送信する前に、ある買物客の商品登録を行っているか否かを通信部２０を介して問い合せ、商品登録中であれば、当該買物客の商品登録の完了した旨の通知を受信する迄、上記設定命令の送信を待機し、当該買物客の商品登録の完了した旨の通知を受信した後に、上記設定命令を送信してもよい。なお、上記問い合せは、制御対象の登録モードの他のＰＯＳレジスタ２に直接行ってもよいし、ストアコントローラ３が登録モードのＰＯＳレジスタ２の状態を管理する場合にはストアコントローラ３に行ってもよい。同様に、商品登録の完了した旨の通知は、制御対象の登録モードの他のＰＯＳレジスタ２から直接受信してもよいし、ストアコントローラ３が登録モードのＰＯＳレジスタ２の状態を管理する場合にはストアコントローラ３から受信してもよい。
【００５０】
なお、ＣＰＵ１１は、同様に、制御対象（動作モードの切替対象）の他のＰＯＳレジスタ２において、ある買物客の決済が行われているときは、当該買物客の決済の完了後に当該他のＰＯＳレジスタ２の動作モードを会計モードから登録モードに変更してもよい。
【００５１】
また、登録モードのＰＯＳレジスタ２のＣＰＵ１１は、上述の如く、精算処理を行うときに必要となる情報（取引情報、又は、取引識別情報）を、会計モードの他のＰＯＳレジスタ２に送信するように通信部２０を制御してもよい。
【００５２】
また、登録モードのＰＯＳレジスタ２のＣＰＵ１１は、上述の如く、精算処理を行うときに必要となる情報（取引情報、又は、取引識別情報）を２次元コード化して印刷媒体に印刷し、お会計券として発行するように印刷部１９を制御してもよい。
【００５３】
なお、登録モードのＰＯＳレジスタ２のＣＰＵ１１は、会計モードの他のＰＯＳレジスタ２との通信が可能であれば、上述の如く通信部２０を制御し、会計モードの他のＰＯＳレジスタ２との通信が不能であれば、上述の如く印刷部１９を制御してもよい。
【００５４】
図４は、本発明の一実施形態によるＰＯＳシステム１の動作を説明するためのフローチャートである。具体的には、図４のフローチャートは、あるＰＯＳレジスタ２（図４ではＰＯＳレジスタ２−１）の動作モードの変更に伴って他のＰＯＳレジスタ２（図４ではフローチャート２−２、２−３）の動作モードが変更されるときの動作を表している。なお、図４のフローチャートの開始時において、ＰＯＳレジスタ２−１は会計モード、ＰＯＳレジスタ２−２、ＰＯＳレジスタ２−３は登録モードになっているものとする。また、各ＰＯＳレジスタ２の動作は各ＣＰＵ１１によって制御される。
ステップＳ１０：ＰＯＳレジスタ２−１は、店員の操作に応じて、動作モードを会計モードから登録モードに切り替える。
ステップＳ１２：ＰＯＳレジスタ２−１は、動作モードを会計モードに設定する旨の設定命令をＰＯＳレジスタ２−２及びＰＯＳレジスタ２−３に送信する。
ステップＳ２０：ＰＯＳレジスタ２−２は、動作モードを会計モードに設定する旨の設定命令をＰＯＳレジスタ２−１から受信する。
ステップＳ２２：ＰＯＳレジスタ２−２は、商品登録中であるか否かを判断する。商品登録中でない場合には、ステップＳ２４に進む。商品登録中である場合には、商品登録が完了してからステップＳ２４に進む。
ステップＳ２４：ＰＯＳレジスタ２−２は、動作モードを会計モードに設定する旨の設定命令に応じて、動作モードを登録モードから会計モードに切り替える。
なお、ＰＯＳレジスタ２−３のステップＳ３０、Ｓ３２、Ｓ３４は、図示するように、ステップＳ２０、Ｓ２２、Ｓ２４と同様であるので説明を省略する。
【００５５】
以上、ＰＯＳシステム１によれば、ＰＯＳシステム１を構成するＰＯＳレジスタ２の数量を抑えつつ、トータルの待ち時間を短縮することができる。
【００５６】
なお、上記実施形態において、あるＰＯＳレジスタ２からの指示（設定命令）に応じて他のＰＯＳレジスタ２を登録モードから会計モードに切り替える際に、当該他のＰＯＳレジスタ２があるお客の商品登録中であったときは、当該他のＰＯＳレジスタ２は当該お客の商品登録が完了した後に登録モードから会計モードに切り替えると説明したが、当該他のＰＯＳレジスタ２に複数人のお客が並んでいる場合には、当該複数人の商品登録が完了した後に登録モードから会計モードに切り替えるようにしてもよい。例えば、当該他のＰＯＳレジスタ２の店員が商品登録の残人数（並んでいる人数）を置数し、置数された数の商品登録が完了した後に登録モードから会計モードに切り替えるようにしてもよい。また、置数に代えて、撮像部２１を用いて、当該ＰＯＳレジスタ２の処理を待つお客（お客の列）を撮像し、撮像画像からお客の人数を特定（推定）し、特定された数の商品登録が完了した後に登録モードから会計モードに切り替えるようにしてもよい。これにより、現在並んでいるお客を捌いた後に会計モードのＰＯＳレジスタ２になるので、商品登録を待って並んでいるお客に迷惑が掛からなくなる。
【００５７】
同様に、あるＰＯＳレジスタ２からの指示（設定命令）に応じて他のＰＯＳレジスタ２を会計モードから登録モードに切り替える際に、当該他のＰＯＳレジスタ２に複数人のお客が並んでいる場合についても、当該複数人の代金決済が完了した後に会計モードから登録モードに切り替えるようにしてもよい。これにより、現在並んでいるお客を捌いた後に登録モードのＰＯＳレジスタ２になるので、代金決済を待って並んでいるお客に迷惑が掛からなくなる。
【００５８】
また、上記実施形態では、ＰＯＳレジスタ２の動作モードは、登録モードから会計モードに適宜変更され、又は、会計モードから登録モードに適宜変更されるので、お客が、各ＰＯＳレジスタ２の現在の動作モード（登録モード／会計モード）を簡単に判別できるようにしてもよい。例えば、動作モードに応じて表示態態（たとえば、色）の異なる表示灯／表示器などを用いて、各ＰＯＳレジスタ２の動作モードを告知（報知）してもよい。これにより、お客に混乱を生じさせることがなくなる。
【００５９】
なお、上記実施形態では、あるＰＯＳレジスタ２を操作する店員の操作に応じて当該ＰＯＳレジスタ２の動作モードを切り替えた後に他のＰＯＳレジスタ２の動作モードの切り替えると説明したが、他のＰＯＳレジスタの動作モードの切り替えの態様はこれに限定されない。例えば、ストアコントローラ３からの指示（設定命令）に応じてあるＰＯＳレジスタ２の動作モードを切り替えた後に他のＰＯＳレジスタ２の動作モードの切り替えるようにしてもよい。
【００６０】
例えば、ストアコントローラ３は、会計モードのＰＯＳレジスタ２−１に対し、動作モードを登録モードに設定する旨の設定命令を送信するとともに、ＰＯＳレジスタ２−１の動作モードの切替に伴って動作モードの切替を行うＰＯＳレジスタ２として事前に指定されたＰＯＳレジスタ２−２、２−３に対し、動作モードを会計モードの設定する旨の設定命令を送信するようにしてもよい。同様に、ストアコントローラ３は、登録モードのＰＯＳレジスタ２−１に対し、動作モードを会計モードに設定する旨の設定命令を送信するとともに、ＰＯＳレジスタ２−１の動作モードの切替に伴って動作モードの切替を行うＰＯＳレジスタ２として事前に指定されたＰＯＳレジスタ２−２、２−３に対し、動作モードを登録モードの設定する旨の設定命令を送信するようにしてもよい。
【００６１】
また、ストアコントローラ３が、あるＰＯＳレジスタ２に対し、動作モードの設定命令を送信し、当該ＰＯＳレジスタ２が、当該ＰＯＳレジスタ２の動作モードの切替に伴って動作モードの切替を行う他のＰＯＳレジスタ２として事前に指定された他のＰＯＳレジスタ２に対し、動作モードの設定命令を送信するようにしてもよい。
【００６２】
なお、上記実施形態では、登録モードに設定する旨の設定命令及び会計モードに設定する旨の設定命令を用いているが、上記に代えて、動作モードを切り替える切替命令を用いてもよい。例えば、ＰＯＳレジスタ２−１が、登録モードのＰＯＳレジスタ２−２、及び、会計モードの２−３の夫々に対し、切替命令を送信した場合、ＰＯＳレジスタ２−２の動作モードは登録モードから会計モードに切り替り、ＰＯＳレジスタ２−３の動作モードは会計モードから登録モードに切り替りる。
【００６３】
なお、上記実施形態では、ＰＯＳレジスタ２は、会計モードとして、買物客自らが代金決済を行うセルフ会計モードを有していると説明したが、ＰＯＳレジスタ２は、会計モードとして、セルフ会計モードに代えて又は加えて、店員が代金決済を行う会計モードを有していてもよい。
【００６４】
なお、上記ＰＯＳレジスタ２の各処理を実行するためのプログラムをコンピュータ読み取り可能な記録媒体に記録して、当該記録媒体に記録されたプログラムをコンピュータシステムに読み込ませ、実行することにより、ＰＯＳレジスタ２の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【００６６】
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１…ＰＯＳシステム  ２…ＰＯＳレジスタ  ３…ストアコントローラ（上位装置）  １１…ＣＰＵ  １２…ＲＯＭ  １３…ＲＡＭ  １４…店員用表示部  １５…操作部  １６…客用表示部  １７…自動釣銭機  １７ａ…釣り銭放出口  １７ｂ…預り金投入口  １８…スキャナ部  １９…印字部  ２０…通信部  ２１…撮像部（カメラ）  ３０…キャッシュドロア  
【図１】
2014038556.tif 000003
【図２】
2014038556.tif 000004
【図３】
2014038556.tif 000005
【図４】
2014038556.tif 000006